(57)【要約】【課題】照度センサーと透明液晶を用いて光源制御を行うフォト生成装置を提供する。【解決手段】本発明の照度センサーと透明液晶を用いて光源制御及び写真補正を行うフォト生成装置は、前記フォト生成装置を用いるユーザーに対する撮影を行うためのカメラ部、前記フォト生成装置を用いて写真撮影を行うオブジェクトに対して照明を提供するための照明部、前記光センサー部の照明制御に用いるために前記フォト生成装置の所定の範囲内の照度を測定する照度センサー部、および前記カメラ部の前面に装着され、前記撮影の際に前記カメラ部に照射される光源の量に対する制御を行う透明液晶パネルを含んでなり、前記照明部及び前記透明液晶パネルは、前記照度センサーによって測定された照度に基づいて、前記照明の明るさ及び前記透明液晶パネルの開閉をそれぞれ制御することができる。
2018528482.tif 000002
【特許請求の範囲】
【請求項１】
照度センサーと透明液晶を用いて光源制御及び写真補正を行うフォト生成装置において、
前記フォト生成装置を用いるユーザーに対する撮影を行うためのカメラ部と、
前記フォト生成装置を用いて写真撮影を行うオブジェクトに対して照明を提供するための照明部と、
前記照明センサー部の照明制御に用いるために前記フォト生成装置の所定の範囲内の照度を測定する照度センサー部と、
前記カメラ部の前面に装着され、前記撮影の際に前記カメラ部に照射される光源の量に対する制御を行う透明液晶パネルとを含んでなり、
前記照明部および前記透明液晶パネルは、前記照度センサーによって測定された照度に基づいて前記照明の明るさ及び前記透明液晶パネルの開閉をそれぞれ制御することを特徴とする、フォト生成装置。
【請求項２】
前記照明部によって提供される照明の明るさ段階は、ロー（Ｌｏｗ）、ノーマル（Ｎｏｒｍａｌ）またはハイ（Ｈｉｇｈ）に区分され、
前記照明部は、前記照度センサー部によって測定された照度に基づいて前記照明部による照明の明るさ段階を制御することを特徴とする、請求項１に記載のフォト生成装置。
【請求項３】
前記照度センサー部によって測定された照度が、予め定められた所定の基準よりも低い低照度（ｌｏｗ  ｉｌｌｕｍｉｎａｎｃｅ）である場合には、前記照明部は前記照明の明るさをハイ（Ｈｉｇｈ）に設定されるように制御し、前記測定された照度が所定の基準よりも高い高照度（ｈｉｇｈ  ｉｌｌｕｍｉｎａｎｃｅ）である場合には、前記照明部は前記照明の明るさをロー（Ｌｏｗ）に設定されるように制御することを特徴とする、請求項２に記載のフォト生成装置。
【請求項４】
前記透明液晶パネルは、前記透明液晶パネルの開閉によって、前記カメラ部に照射される光源の透過率を制御し、
前記透明液晶パネルは、前記照度センサー部によって測定された照度に基づいて前記透明液晶パネルの開閉を制御することを特徴とする、請求項３に記載のフォト生成装置。
【請求項５】
前記照度センサー部によって測定された照度が、予め定められた所定の基準よりも低い低照度（Ｌｏｗ  ｉｌｌｕｍｉｎａｎｃｅ）である場合には、前記透明液晶パネルは前記透明液晶パネルを開放するように制御し、前記測定された照度が所定の基準よりも高い高照度（ｈｉｇｈ  ｉｌｌｕｍｉｎａｎｃｅ）である場合には、前記透明液晶パネルは前記透明液晶パネルを閉鎖するように制御することを特徴とする、請求項４に記載のフォト生成装置。
【請求項６】
前記カメラ部は、前記照明部及び前記透明液晶パネルの制御結果が反映されたユーザーの画像を撮影し、前記ユーザーに対する撮影写真を生成することを特徴とする、請求項１に記載のフォト生成装置。
【請求項７】
前記フォト生成装置は、前記ユーザーに対する撮影写真とフォトオブジェクトとを合成したイメージを生成することを特徴とする、請求項６に記載のフォト生成装置。
【請求項８】
前記合成したイメージを生成する場合には、
前記フォト生成装置は、既にインストールされたプログラムを利用して、前記ユーザーに対する撮影写真と前記フォトオブジェクトに対してチャネル別の映像補正を行った後、前記合成イメージを生成することを特徴とする、請求項６に記載のフォト生成装置。
【請求項９】
前記フォト生成装置は、前記ユーザーに対する撮影写真とフォトオブジェクトとを合成したイメージを印刷するプリンターをさらに含むことを特徴とする、請求項８に記載のフォト生成装置。
【請求項１０】
前記映像補正は、
ヒストグラムマッチング、フィルタリング及びカラー補正の少なくとも一つを含み、
前記ヒストグラムマッチングは、前記ユーザーに対する撮影写真と前記フォトオブジェクトに対してチャネル別の最小値、最大値を推定し、前記推定された最小値と最大値を基準にヒストグラムストレッチを行うことであり、
前記フィルタリングは、バイラテラルフィルターを用いて前記ユーザーに対する撮影写真を処理することであり、
前記カラー補正は、前記ユーザーに対する撮影写真および前記フォトオブジェクトに対してカラー補正または顔検出を用いた皮膚色補正を行うことを特徴とする、請求項８に記載のフォト生成装置。
【請求項１１】
前記カラー補正は、
前記ユーザーに対する撮影写真および前記フォトオブジェクトに対して、明るさと色度が分離された色空間変換を用いて飽和成分を抽出し、前記抽出された飽和成分を増加させることにより行われることを特徴とする、請求項１０に記載のフォト生成装置。
【請求項１２】
前記皮膚色補正は、
前記ユーザーに対する撮影写真及び前記フォトオブジェクトそれぞれの皮膚色領域を検出し、予め定められた選好皮膚色と対比し、
前記対比された皮膚色の差を比率的に計算して、前記計算された差だけ前記ユーザーに対する撮影写真及び前記フォトオブジェクトそれぞれの皮膚色領域に対する補正を行うことを特徴とする、請求項１０に記載のフォト生成装置。
【請求項１３】
前記映像補正は、
レティネックスアルゴリズムを用いて、前記ユーザーに対する撮影写真と前記フォトオブジェクトそれぞれの光源明るさを推定し、前記推定された光源明るさを補正することをさらに含む、請求項８に記載のフォト生成装置。
【請求項１４】
前記推定された光源明るさを補正することは、
前記推定された光源明るさを用いて多重レティネックスを行うことをさらに含む、請求項１３に記載のフォト生成装置。
【請求項１５】
前記チャネル別の映像補正は、
前記ユーザーに対する撮影写真と前記フォトオブジェクトそれぞれに対して色空間変換を用いて明るさ成分と色度成分を分離し、前記分離された明るさ成分のカラーとコントラストを向上させることを含んでなる、請求項８に記載のフォト生成装置。
【請求項１６】
前記チャネル別の映像補正は、
前記分離された明るさ成分に対するヒストグラム比較を行って階調の増加及びグレー（ｇｒａｙ）階調の各段階別の分布を分析し、
前記分析結果に基づいて前記ユーザーに対する撮影写真と前記フォトオブジェクトそれぞれに対する彩度補正及び皮膚色領域に対する補正を行うことをさらに含む、請求項１５に記載のフォト生成装置。
【請求項１７】
前記ヒストグラム比較は、
前記ユーザーに対する撮影写真と前記フォトオブジェクトそれぞれの明るさ成分に対するヒストグラム形状を一定に維持しながら、全域的に行ったときに現れるオーバーエンハンスメント（Ｏｖｅｒ−Ｅｎｈａｎｃｅｍｅｎｔ）欠点を減少させることを特徴とする、請求項１６に記載のフォト生成装置。
【請求項１８】
前記フォト生成装置は、写真撮影及び編集機能を含むキオスク（Ｋｉｏｓｋ）であることを特徴とする、請求項１に記載のフォト生成装置。
【発明の詳細な説明】
【技術分野】
【０００１】
本発明は、光源制御と写真補正を行うフォト生成装置に係り、より具体的には、照度センサーによって測定された照度に基づいて、照明の明るさ、及びカメラ部に照射される光の透過率を制御し、これにより、撮影された写真を補正し或いは他のイメージと合成することができるフォト生成装置に関する。
【背景技術】
【０００２】
最近、イメージ、映像に関連した技術の発展及び変化に伴い、ユーザーの印画時間の短縮、イメージ合成及び編集などの様々なニーズが一緒に増加している。
【０００３】
これにより、近年、プリクラ自動販売機、キオスク、無人チケット発券機などの様々なフォト生成装置が登場するようになり、劇場、デパート、ショッピングモール、繁華街などのさまざまな外部空間で個人カメラではなく、上記のフォト生成装置で写真を生成および編集することができるようになった。
【０００４】
前記無人チケット発券機は、映画館、スポーツ競技場、公演場、展示会、博物館、観光地などで人に代わってチケットを発券する機器をいう。前記無人チケット発券機によって発券されるチケットは、日付、映画名、試合名、公演名、展示名、観覧場所、観覧位置などの観覧情報を示し、一般な無人チケット発券機は、ＰＣ、モニター、レシートプリンター、カードリーダー、紙幣リーダー、および手数料精算部から構成できる。
【０００５】
従来は、前記無人チケット発券機がひたすら前記観覧情報の含まれているチケットのみを発券する役目をしたが、最近は、画像データの処理および合成技術の発達により、備えられたカメラまたはユーザーが入力した写真などを利用してユーザーにスター／キャラクター／背景とのインスタント写真撮影サービスまたはインスタント写真合成サービスなどを提供してユーザーに付加的な楽しみを与えており、特に前記無人チケット発券機は、プリンターが装着されており、前記撮影または合成された写真のプリントされたチケットをユーザーが所蔵し得るようにしている。また、前記撮影または合成された写真は、有無線通信ネットワーク接続を介して携帯電話、電子メール、ＳＮＳ（Ｓｏｃｉａｌ  Ｎｅｔｗｏｒｋ  Ｓｅｒｖｉｃｅ）で伝送されて共有されることも可能である。
【０００６】
より具体的には、前述したような無人チケット発券機を含むフォト生成装置は、前述したようにカメラを使って写真撮影を行うだけでなく、最近発達した画像データの処理及び合成技術によって、追加のイメージ挿入、写真合成、写真補正、テキスト（ＴＥＸＴ）挿入、及び俳優、歌手などの芸能人または有名人の写真（以下、フォトオブジェクト）と自分の撮影写真とを合成または編集するサービスも一緒に提供しており、前記フォトオブジェクトが撮影待機中のフォト生成装置の画面内に登場して、前記ユーザーがまるで前記フォトオブジェクトと一緒に写真を撮ったかのように撮影が行われるサービスも提供されている。
【０００７】
ところが、前述した様々なサービスを提供するフォト生成装置は、流動人口の多い空間あるいは訪問者数の多い地域に備えられる場合が多いため、大部分が写真撮影のみのための別途の照明が備えられた閉鎖空間ではなく、開放的空間、すなわち外部に位置している場合が多い。
【０００８】
したがって、前述したような開放的空間に位置したフォト生成装置は、フォト生成の際に光源（ｌｉｇｈｔ  ｓｏｕｒｃｅ）の影響を多く受ける方であり、特に、写真撮影を行おうとするユーザーの後ろから光が照射される逆光である場合、或いは写真撮影を行う空間の明るさが相対的に暗い低照度（ｌｏｗ  ｉｌｌｕｍｉｎａｎｃｅ）の場合には、このような光源の影響により、撮影された写真の品質（Ｑｕａｌｉｔｙ）が非常に劣る傾向があり、特に前述のようなフォトオブジェクトとの色不一致が発生し、満足できる品質のフォト生成ないし合成を行うことができなくなるという問題点がある。
【０００９】
これにより、かかる問題点を解決するために、ソフトウェア的な接近方式、すなわち、プログラムなどで写真の明るさなどを補正する技術も登場するようになったが、前述したような逆光または低照度の状態がひどい場合には、光源の影響を非常に大きく受けて前記ソフトウェア的な接近方式のみでは光源補正が不十分に行われ、結果的に前述したような問題点を解決することができない。
したがって、かかる問題点を解決するための方法が求められている。
【発明の概要】
【発明が解決しようとする課題】
【００１０】
本発明の目的は、上述した問題点を解決するために、照度センサーと透明液晶を用いて光源制御を行うフォト生成装置を提供することにある。
【００１１】
本発明の他の目的は、照度センサーを用いて測定した照度に基づいて照明の明るさ調節を行うフォト生成装置を提供することにある。
【００１２】
本発明の別の目的は、照度センサーを用いて測定した照度に基づいて、カメラ前面の透明液晶の開閉を制御して、カメラに入力される光源の量を調節するフォト生成装置を提供することにある。
【００１３】
本発明の別の目的は、映像補正された一つ以上のイメージを合成して生成されたフォトを紙またはメディア媒体に印刷するフォト生成装置を提供することにある。
【００１４】
本発明で解決しようとする技術的課題は前記技術的課題に制限されず、上述していない別の技術的課題は以降の記載から本発明の属する技術分野における通常の知識を有する者に明確に理解できるだろう。
【課題を解決するための手段】
【００１５】
上述した問題点を解決するための本発明の光源制御と写真補正を行うフォト生成装置は、前記フォト生成装置を用いるユーザーに対する撮影を行うためのカメラ部と、前記フォト生成装置を用いて写真撮影を行うオブジェクトに対して照明を提供するための照明部と、前記照明センサー部の照明制御に用いるために前記フォト生成装置の所定の範囲内の照度を測定する照度センサー部と、前記カメラ部の前面に装着され、前記撮影の際に前記カメラ部に照射される光源の量の制御を行う透明液晶パネルとを含んでなり、前記照明部および前記透明液晶パネルは、前記照度センサーによって測定された照度に基づいて前記照明の明るさ及び前記透明液晶パネルの開閉をそれぞれ制御することができる。
【００１６】
本発明の光源制御と写真補正を行うフォト生成装置において、前記照明部によって提供される照明の明るさ段階は、ロー（Ｌｏｗ）、ノーマル（Ｎｏｒｍａｌ）またはハイ（Ｈｉｇｈ）に区分され、前記照明部は、前記照度センサー部によって測定された照度に基づいて前記照明部による照明の明るさ段階を制御することができる。
【００１７】
本発明の光源制御と写真補正を行うフォト生成装置において、前記照度センサー部によって測定された照度が、予め定められた所定の基準よりも低い低照度（ｌｏｗ  ｉｌｌｕｍｉｎａｎｃｅ）である場合には、前記照明部は前記照明の明るさをハイ（Ｈｉｇｈ）に設定されるように制御し、前記測定された照度が所定の基準よりも高い高照度（ｈｉｇｈ  ｉｌｌｕｍｉｎａｎｃｅ）である場合には、前記照明部は前記照明の明るさをロー（Ｌｏｗ）に設定されるように制御することができる。
【００１８】
本発明の光源制御と写真補正を行うフォト生成装置において、前記透明液晶パネルは、前記透明液晶パネルの開閉によって、前記カメラ部に照射される光源の透過率を制御し、前記透明液晶パネルは、前記照度センサー部によって測定された照度に基づいて前記透明液晶パネルの開閉を制御することができる。
【００１９】
本発明の光源制御と写真補正を行うフォト生成装置において、前記照度センサー部によって測定された照度が、予め定められた所定の基準よりも低い低照度（Ｌｏｗ  ｉｌｌｕｍｉｎａｎｃｅ）である場合には、前記透明液晶パネルは前記透明液晶パネルを開放するように制御し、前記測定された照度が所定の基準よりも高い高照度（ｈｉｇｈ  ｉｌｌｕｍｉｎａｎｃｅ）である場合には、前記透明液晶パネルは前記透明液晶パネルを閉鎖するように制御することができる。
【００２０】
本発明の光源制御と写真補正を行うフォト生成装置において、前記カメラ部は、前記照明部及び前記透明液晶パネルの制御結果が反映されたユーザーの画像を撮影して前記ユーザーに対する撮影写真を生成することができる。
【００２１】
本発明の光源制御と写真補正を行うフォト生成装置において、前記フォト生成装置は、前記ユーザーに対する撮影写真とフォトオブジェクトとを合成したイメージを生成することができる。
【００２２】
本発明の光源制御と写真補正を行うフォト生成装置において、前記合成したイメージを生成する場合には、前記フォト生成装置は、既にインストールされたプログラムを利用して、前記ユーザーに対する撮影写真と前記フォトオブジェクトに対してチャネル別の映像補正を行った後、前記合成イメージを生成することができる。
【００２３】
本発明の光源制御と写真補正を行うフォト生成装置において、前記フォト生成装置は、前記ユーザーに対する撮影写真とフォトオブジェクトとを合成したイメージを印刷するプリンターをさらに含むことができる。
【００２４】
本発明の光源制御と写真補正を行うフォト生成装置において、前記映像補正は、ヒストグラムマッチング、フィルタリング及びカラー補正の少なくとも一つを含み、前記ヒストグラムマッチングは、前記ユーザーに対する撮影写真と前記フォトオブジェクトに対してチャネル別の最小値、最大値を推定し、前記推定された最小値と最大値を基準にヒストグラムストレッチングを行うことであり、前記フィルタリングは、バイラテラルフィルターを用いて前記ユーザーに対する撮影写真を処理することであり、前記カラー補正は、前記ユーザーに対する撮影写真および前記フォトオブジェクトに対してカラー補正または顔検出を用いた皮膚色補正を行うことであり得る。
【００２５】
本発明の光源制御と写真補正を行うフォト生成装置において、前記カラー補正は、前記ユーザーに対する撮影写真および前記フォトオブジェクトに対して、明るさと色度が分離された色空間変換を用いて飽和成分を抽出し、前記抽出された飽和成分を増加させることにより行われることであり得る。
【００２６】
本発明の光源制御と写真補正を行うフォト生成装置において、前記皮膚色補正は、前記ユーザーに対する撮影写真及び前記フォトオブジェクトそれぞれの皮膚色領域を検出して、予め定められた所定の選好皮膚色と対比するが、前記対比された皮膚色の差を比率的に計算し、前記計算された差だけ前記ユーザーに対する撮影写真及び前記フォトオブジェクトそれぞれの皮膚色領域に対する補正を行うことであり得る。
【００２７】
本発明の光源制御と写真補正を行うフォト生成装置において、前記映像補正は、レティネックスアルゴリズムを用いて、前記ユーザーに対する撮影写真と前記フォトオブジェクトそれぞれの光源明るさを推定し、前記推定された光源明るさを補正することをさらに含むことができる。
【００２８】
本発明の光源制御と写真補正を行うフォト生成装置において、前記推定された光源明るさを補正することは、前記推定された光源明るさを用いて多重レティネックスを行うことをさらに含むことができる。
【００２９】
本発明の光源制御と写真補正を行うフォト生成装置において、前記チャネル別の映像補正は、前記ユーザーに対する撮影写真と前記フォトオブジェクトそれぞれに対して色空間変換によって明るさ成分と色度成分を分離し、前記分離された明るさ成分のカラーとコントラストを向上させることを含むことができる。
【００３０】
本発明の光源制御と写真補正を行うフォト生成装置において、前記チャネル別の映像補正は、前記分離された明るさ成分に対するヒストグラム比較を行って階調の増加及びグレー（ｇｒａｙ）階調の各段階別の分布を分析するが、前記分析結果に基づいて、前記ユーザーに対する撮影写真と前記フォトオブジェクトそれぞれに対する彩度補正、及び皮膚色領域に対する補正を行うことをさらに含むことができる。
【００３１】
本発明の光源制御と写真補正を行うフォト生成装置において、前記ヒストグラム比較は、前記ユーザーに対する撮影写真と前記フォトオブジェクトそれぞれの明るさ成分に対するヒストグラム形状を一定に維持しながら、全域的に行ったときに現れるオーバーエンハンスメント（Ｏｖｅｒ−Ｅｎｈａｎｃｅｍｅｎｔ）欠点を減少させることができる。
【００３２】
本発明の光源制御と写真補正を行うフォト生成装置において、前記フォト生成装置は、写真撮影及び編集機能を含むキオスク（Ｋｉｏｓｋ）であり得る。
【発明の効果】
【００３３】
前述したような本発明によれば、次の効果を得ることができる。ただし、本発明によって得られる効果は、これに限定されない。
第一に、本発明によれば、照度センサーと透明液晶を用いて光源制御を行うフォト生成装置が提供できる。
第二に、本発明によれば、照度センサーを用いて測定した照度に基づいてフォト生成装置の照明の明るさ調節を行う効果が提供できる。
第三に、本発明によれば、照度センサーを用いて測定した照度に基づいて、カメラ前面の透明液晶の開閉を制御して、カメラに入力される光源の量を調節することができる効果が提供できる。
第四に、本発明によれば、映像補正された一つ以上のイメージを合成して生成されたフォトを紙またはメディア媒体に印刷するフォト生成装置が提供できる。
【００３４】
本発明で得られる効果は上述した効果に限定されず、上述していない別の効果は以降の記載から本発明の属する技術分野における通常の知識を有する者に明確に理解できるだろう。
【図面の簡単な説明】
【００３５】
【図１】本発明が適用できるフォト生成装置の構成を例示した図である。
【図２】本発明が適用できるフォト生成装置がカメラ連結を介して写真撮影を行う過程を説明するための例示図である。
【図３】本発明の一実施形態に係るフォト生成装置が照度センサーと透明液晶を用いて光源制御を行う過程を説明するための例示図である。
【図４】本発明の一実施形態に係る照度センサーと透明液晶を用いて光源制御を行うフォト生成装置がキオスクの形で実現された状態を説明するための例示図である。
【図５】本発明の一実施形態によってフォト生成装置が光源の明るさを推定する過程を説明するための例示図である。
【図６】本発明の一実施形態によってフォト生成装置が光源の明るさを補正する過程を説明するための例示図である。
【図７】本発明の一実施形態によってフォト生成装置がユーザーに対する撮影写真とフォトオブジェクトとを合成する過程を説明するための例示図である。
【図８】本発明の一実施形態によってフォト生成装置がカラー及びコントラストを向上させてイメージを合成する過程を説明するための例示図である。
【図９】本発明の一実施形態によってフォト生成装置が選好皮膚色の再現を行う過程を示すフローチャートである。
【図１０】本発明の一実施形態によってフォト生成装置が選好皮膚色の再現を行った結果を説明するための入力映像及び皮膚色補正映像を示す図である。
【発明を実施するための形態】
【００３６】
以下、本発明に係る好適な実施形態を添付図面を参照して詳細に説明する。添付図面と共に以下に開示される詳細な説明は、本発明の例示的な実施形態を説明するものであり、本発明が実施できる唯一の実施形態を示すものではない。
【００３７】
ただし、本実施形態は、本発明の掲示を完全たるものにし、且つ本発明の属する技術分野における通常の知識を有する者に発明の範疇を完全に知らせるために提供されるものであり、本発明は請求項の範疇によって定義されるだけである。
【００３８】
いくつかの場合、本発明の概念が曖昧になることを避けるために、公知の構造及び装置は省略されるか、各構造及び装置の核心機能を中心としたブロック図として示されることができる。また、本明細書全体にわたり、同一の構成要素については同一の図面符号を用いて説明する。
【００３９】
明細書全体において、ある部分がある構成要素を「含む（ｃｏｍｐｒｉｓｉｎｇまたはｉｎｃｌｕｄｉｎｇ）」とするとき、これは、特に反対される記載がない限り、他の構成要素を除外するのではなく、他の構成要素をさらに含むことができることを意味する。
【００４０】
また、明細書に記載された「．．．部」の用語は、少なくとも一つの機能や動作を処理する単位を意味し、これはハードウェア、ソフトウェア、またはハードウェアとソフトウェアとの組み合わせで実現できる。さらに、「一（ａまたはａｎ）」、「一つ（ｏｎｅ）」、および類似の関連語は、本発明を記述する文脈において、本明細書に他に指し示されるか文脈によって明らかに反駁されない限り、単数および複数の両方を含む意味で使用できる。
【００４１】
併せて、本発明の実施形態で使用される特定の用語は、本発明の理解を助けるために提供されたものであり、他に定義されない限り、技術的または科学的な用語を含めてここで使用されるすべての用語は、本発明の属する技術分野における通常の知識を有する者によって一般的に理解されるものと同じ意味を持っている。このような特定の用語の使用は、本発明の技術的思想を逸脱しない範囲で他の形態に変更できる。
【００４２】
以下、本発明に係る好適な実施形態を添付図面を参照して詳細に説明する。添付図面と一緒に以下に開示される詳細な説明は、本発明の例示的な実施形態を説明するもので、本発明が実施できる唯一の実施形態を示すものではない。
【００４３】
図１は本発明ができるフォト生成装置の構成を例示した図である。
【００４４】
図１を参照すると、本発明が適用できるフォト生成装置は、撮影部１１１、選択部１１２、照度センサー部１１３、照明部１１４及び透明液晶パネル１１５を含んでなるイメージ部１１０と、光源補正部１２０と、融合部１３０と、フィルター処理部１４０と、出力部１５０と、通信部１６０とを含んで構成できる。
【００４５】
ただし、図１に示されているものとは異なり、前記フォト生成装置は、前述した構成要素の一部を省略して実現してもよく、これとは異なり、前述した構成要素以外の構成要素をさらに追加して実現してもよい。
【００４６】
再び図１を参照すると、前記イメージ部１１０は、写真撮影を行おうとするユーザーの画像とフォトオブジェクトを用意する。すなわち、前記イメージ部１１０に含まれている撮影部１１１は、写真撮影を行おうとするユーザーの画像を前記写真生成装置の画面に表示し或いは前記ユーザーを撮影し、前記イメージ部１１０に含まれている前記選択部１１２は、前記ユーザーの入力に基づいて、或いは所定の設定によって前記写真生成装置の画面に前記ユーザーの画像と一緒に配置されるフォトオブジェクトを選択することができる。
【００４７】
本発明において、前記ユーザーは、前記フォト生成装置を用いて撮影を行う前／後に前記選択部１１２を介して前記フォトオブジェクトを選択することができる。ここで、前記フォトオブジェクトとは、芸能人または有名人、特定のキャラクターまたは特定の背景などをすべて含む、事前制作されたイメージないし映像を意味するものと解釈することができる。
【００４８】
再び図１を参照すると、前記イメージ部１１０に含まれている照度センサー部１１３は、照明制御に利用するために前記フォト生成装置の所定の範囲内の照度（ｉｌｌｕｍｉｎａｎｃｅ）を測定することができ、本発明において、前記フォト生成装置は、前記照度センサー部１１３によって測定された照度に基づいて、前記イメージ部１１０内の照明部１１４及び透明液晶パネル１１５の動作を制御することができる。これについての詳細な説明は後述する。
【００４９】
本発明のフォト生成装置の光源補正部１２０は、前記撮影部１１１のカメラで取得されたユーザーの画像から光源を推定し、これをさらに補正することができる。すなわち、本発明において、前記フォト生成装置は、前述したように、照度センサー部によって測定された照度に基づいて、照明の明るさ及び透明液晶パネルの開閉を制御して、カメラに照射される光源の量をハードウェア的に調節／制御しているが、これと共に前記光源補正部１２０を介してソフトウェア的にも調節／制御を行うことができる。
【００５０】
また、前記フォト生成装置の融合部１３０は、前記ユーザーの画像と前記フォトオブジェクトを合成することができ、前記フィルター処理部１４０は、前記ユーザーの入力に応じて、あるいは前記写真生成装置に既に入力されたコマンドに応じて、前記合成されたオブジェクトに追加のフィルター処理を行うことができる。
【００５１】
前記出力部１５０は、前記合成されたオブジェクト或いは前記合成されたオブジェクトに追加のフィルター処理が行われたオブジェクトを出力することができる。本発明において、前記フォト生成装置内の前記出力部１５０は、プリンター、フォトプリンターのように写真を出力することが可能な機能を含むすべてのプリンターを含むものと解釈できる。
【００５２】
また、前記通信部１６０は、前記合成されたオブジェクトを有無線通信ネットワークを介して携帯電話、電子メール、ＳＮＳなどで伝送することができる。
【００５３】
ここで、前記有無線通信ネットワークとは、近距離通信モジュールまたは電波や赤外線を利用した無線通信手段のすべてが含まれ得るとともに、今後開発される全ての無線通信手段が適用され得る。
【００５４】
例えば、近距離通信モジュールは、予め定められた所定の範囲内の通信のためのモジュールをいう。近距離通信（ｓｈｏｒｔ  ｒａｎｇｅ  ｃｏｍｍｕｎｉｃａｔｉｏｎ）技術としては、
ブルートゥース（登録商標）（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅ（登録商標）などを用いることができる。
【００５５】
無線通信手段としては、インターネットプロトコルＩＰを介して大容量データの送受信サービス及び途切れ現象のないデータサービスを提供するＩＰ（Ｉｎｔｅｒｎｅｔ  Ｐｒｏｔｏｃｏｌ）またはＩＰ網を基盤として互いに異なる網を統合したＩＰ網構造であるＡｌｌ−ＩＰ網であり得る。例えば、有線網、Ｗｉｂｒｏ（登録商標）（Ｗｉｒｅｌｅｓｓ  Ｂｒｏａｄｂａｎｄ）網、ＷＣＤＭＡ（登録商標）を含む移動通信網、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）網及びＬＴＥ網を含む移動通信網、ＬＴＥ  ａｄｖａｎｃｅｄを含む移動通信網、衛星通信網及びＷｉ−Ｆｉ（登録商標）網の中から少なくとも一つを組み合わせて構成できる。
【００５６】
一方、前記フォト生成装置は、ユーザーに対する画像を写真として撮影し、或いは前記ユーザーに対する画像と前記フォトオブジェクトとの合成を処理することができ、例えば、キオスク（ｋｉｏｓｋ）、プリクラ機、無人チケット発券機などの形で実現できる。
【００５７】
また、前記フォト生成装置は、前記撮影部１１１に含まれているカメラからユーザー画像を取得し、画面を介して再現することができる。また、前記フォト生成装置は、フォトオブジェクトとリアルタイムカメラ画像を前記フォト生成装置内の画面に同時に表現するために、写真撮影前／後のフォトオブジェクトを写真またはアニメーションなどの形で前記カメラ画像上にオーバーラップ（ｏｖｅｒｌａｐ）して画面上に表現することができる。
【００５８】
図２は本発明が適用できるフォト生成装置がカメラ連結を介して写真撮影を行う過程を説明するための例示図である。
【００５９】
図２を参照すると、本発明が適用できるフォト生成装置は、カメラを含んでいてもよく、前記フォト生成装置を介して写真撮影を行おうとするユーザーの要求または入力などに応じて前記ユーザーの写真撮影を行うために、前記カメラへの連結を行うことができる。
【００６０】
このとき、前記カメラは、前記ユーザーの画像をリアルタイムで内部または外部の画面（ディスプレイ部）を介して再生することができ、前述のように画面を介して前記ユーザーの画像を再生する場合、前記カメラの写真撮影準備が完了した状態であることを前提することができる。
【００６１】
一方、前述したように、前記フォト生成装置は、前記リアルタイムカメラ画像と前記フォトオブジェクトを前記フォト生成装置の画面に同時に表現するために、イメージ或いは動画像で表現できる前記フォトオブジェクトを前記リアルタイムカメラ映像に連結することができる。すなわち、前記フォト生成装置は、ユーザーの入力に応じて或いは前記フォト生成装置に既に設定されたコマンドに応じて選択されたフォトオブジェクトのファイルを開いて、該当ファイル、すなわち、前記選択されたフォトオブジェクトを写真或いはアニメーションなどの形で前記カメラ映像上にオーバーラップ（ｏｖｅｒｌａｐ）して前記フォト生成装置の画面上に表示することができる。
【００６２】
その後、前記フォト生成装置は、ユーザーの入力に応じて或いは前記フォト生成装置内に予め設定されたタイマーに応じて写真撮影を行うことができ、このとき、撮影された写真は、前記ユーザーの画像のみを含むこともできるが、前述したように、前記フォトオブジェクトと前記ユーザーの画像が一緒に含まれている１枚の写真であることもできる。
【００６３】
一方、図２には示されていないが、前記フォト生成装置は、後述のように測定された照度に基づいて照明の明るさ制御及び透明液晶パネルの開閉制御を行い、前記フォト生成装置によって生成される写真に適用される光源の量を調節することができる。また、これと一緒に或いはこれとは別に、前記写真撮影の後、前記フォト生成装置は、前記撮影部内のカメラから取得された前記写真から光源（例えば、光源の明るさなど）を推定し、これに基づいて前記写真の光源などをソフトウェア的にも補正することができる。
【００６４】
より具体的に説明すると、一般的に、カメラを介して取得された写真や映像などは、周辺光源の影響で合成しようとするフォトオブジェクトとの色不一致が発生し、満足できる画質の映像を提供しない場合が発生するおそれがある。
【００６５】
したがって、前記フォト生成装置は、周辺光源の影響を軽減するために、前述したように、照度センサー部により測定された照度に基づいて照明の明るさ及び透明液晶パネルの開閉を制御して、カメラに照射される光源の量をハードウェア的に調節／制御することができ、これと一緒に或いはこれとは別に、撮影の完了した画像に対して光源の明るさを推定し、これに基づいて写真を補正するソフトウェア的な調節／制御も可能である。
【００６６】
このようなソフトウェア的な調節について、例えば、物体から反射される光エネルギーを利用して周辺光源の効果を相殺させて物体の固有色を認知するカラー恒常性に基づいたレティネックス（ｒｅｔｉｎｅｘ）アルゴリズムを用いて、前記写真または映像の光源明るさを推定し補償することができる。
【００６７】
このために、まず、前記写真生成装置は、ＲＧＢ映像をＹＣｂＣｒ空間（Ｃｏｌｏｒ  Ｓｐａｃｅ）に変換し、そのうち、明るさチャネルに様々なサイズのガウスカーネルを適用して光源の明るさ成分を計算することができる。また、前記明るさを補償するために、前記写真生成装置は、計算された光源の明るさを写真または映像の明るさチャネルで割って前記写真または映像内の光源の明るさを補償することができ、このとき、前記レティネックスアルゴリズムを繰り返し適用する多重レティネックスを行うこともできる。
【００６８】
前記フォト生成装置は、前述のような過程などによって光源補正という前処理を経た写真などを前記フォトオブジェクトと合成するために、これらのそれぞれのカラーとコントラストを調節して、互いに類似するように変換した後、合成を行うことができる。
【００６９】
ａ）コントラスト調節
写真または映像がうまく表現されるためには、各チャネルの階調が均等に分布するように調節されなければならない。しかし、一般に使用するＲＧＢ色空間では、チャネル間相関によって写真または映像の色も変化する。したがって、前記フォト生成装置は、このような色の歪みを減らすために、色空間変換によって明るさと色度を分離し、明るさ成分のみを抽出して分析する。
【００７０】
前記フォト生成装置は、明るさ成分のみを抽出した後、明るさのヒストグラム比較によって階調の増加およびグレー（ｇｒａｙ）階調の各段階別分布を分析することができる。
したがって、前記フォト生成装置は、ヒストグラム形状をほぼ同様に維持しつつ、全域的に行ったときに現れるオーバーエンハンスメント（ｏｖｅｒ−ｅｎｈａｎｃｅｍｅｎｔ）欠点を減らすことができる。
【００７１】
ｂ）彩度調節
前記フォト生成装置で明るさが改善された写真または映像において、彩度調節によってカラーを向上させることができる。コントラスト調節のようにＣＩＥＬＡＢ及びＨＳＶなどの色度と明るさ成分を分離することが可能な色空間変換を用いて、明るさによる彩度（ｓａｔｕｒａｔｉｏｎ）成分のみを抽出し、これを増加させることにより、補正を行うことができる。また、地域的に皮膚色を推定し、選好する皮膚色にカラーを再現するように補正することもできる。これらについては図５乃至図１０で詳細に後述する。
【００７２】
図３は本発明の一実施形態に係るフォト生成装置が照度センサーと透明液晶を用いて光源制御を行う過程を説明するための例示図であり、図４は本発明の一実施形態に係るフォト生成装置がキオスクの形で実現された状態を説明するための例示図である。
【００７３】
まず、図３を参照すると、本発明の一実施形態によってフォト生成装置が照度センサーと透明液晶を用いて光源制御を行うために、前記フォト生成装置内の照度センサー部は、前記フォト生成装置の所定の範囲内の照度を測定することができる。
【００７４】
すなわち、フォト生成装置の前面部には写真撮影のための所定の空間が備えられていてもよく、前記所定の空間は前記写真生成装置の撮影が可能な範囲の大きさを有することができる。ユーザーは前記写真撮影のための所定の空間で写真撮影を行うことができるので、前記写真生成装置の照度センサー部は前記所定の空間範囲の照度を測定することができる。
【００７５】
本発明では、照度とは、前記所定の空間範囲に投射される光束を前記所定の空間範囲の面積で割って測定した値を意味し、前記所定の空間範囲の明るさをいう。照度の単位はルクス（ｌｕｘ）またはカンデラ（ｃａｎｄｅｌａ：ｃｄ）を使用することができ、このとき、１ルクスは、１燭光（ｃａｎｄｌｅ−ｐｏｗｅｒ）の光源から１ｍ（メートル）離れているところであり、その光にも直角な面の明るさを意味する。また、照度は、光源からの距離が２倍になると１／４、３倍になると１／９、４倍になると１／１６になることができる。
【００７６】
一方、前記フォト生成装置（または別途の制御部が備えられ、以下の制御を行うこともできる。）は、前記照度センサー部によって測定された照度に基づいて、前記フォト生成装置の写真撮影の際に用いられる照明の明るさを制御することができる。
【００７７】
より具体的に、本発明において、前記照明部によって提供される照明の明るさ段階は、ロー（Ｌｏｗ）、ノーマル（Ｎｏｒｍａｌ）またはハイ（Ｈｉｇｈ）のいずれか一つに区分される。ただし、これは、あくまでも例示に過ぎず、これに限定されるものではなく、さらに細分化されて区分されてもよく、簡明に区分されてもよい。
【００７８】
前記フォト生成装置内の照明部は、前記照明の明るさ段階のうち、前記照度センサー部によって測定された照度に対応する明るさ段階に設定して、前記照明の明るさを制御することができる。
【００７９】
例えば、前記照度センサー部によって測定された照度が、予め定められた所定の基準よりも低い低照度（ｌｏｗ  ｉｌｌｕｍｉｎａｎｃｅ）である場合、前記照明部は、前記照明の明るさをハイ（Ｈｉｇｈ）に設定されるように制御することができ、この場合、前記照明の明るさがさらに強くなるため、前記フォト生成装置の写真撮影の際にさらに多い量の光源が流入できる。また、前記測定された照度が所定の基準よりも高い高照度（ｈｉｇｈ  ｉｌｌｕｍｉｎａｎｃｅ）である場合、前記照明部は、前記照明の明るさをロー（Ｌｏｗ）に設定されるように制御することができ、この場合、前記照明の明るさが相対的に弱くなるため、前記フォト生成装置の写真撮影の際に少ない量の光源のみが流入できる。
【００８０】
一方、本発明の前記フォト生成装置（または別途の制御部が備えられ、以下の制御を行うこともできる。）は、前記照度センサー部によって測定された照度に基づいて、前記カメラ部の前面に装着されて写真撮影の際に前記カメラ部に照射される光源の量に対する制御を行う透明液晶パネルの開閉を制御することができる。
【００８１】
より具体的に、前記透明液晶パネルは前記フォト生成装置のカメラ部の前面に取り付けられていてもよく、前記透明液晶パネルは開閉が可能である。また、前記透明液晶パネルの開閉に応じて、前記カメラ部に照射される光源の透過率を、まるで窓に取り付けられて室内への太陽光の流入量を制御するブラインドのように制御することができる。本発明では、前記照度センサー部によって測定された照度に基づいて前記透明液晶パネルの開閉を制御するが、終局的には、これを用いて、前記カメラ部に照射される光源の透過率を制御することができ、結果として、前記フォト生成装置によって撮影される写真に対する光源の量を調節することができる。
【００８２】
例えば、前記照度センサー部によって測定された照度が、予め定められた所定の基準よりも低い低照度（Ｌｏｗ  ｉｌｌｕｍｉｎａｎｃｅ）である場合、前記透明液晶パネルは、前記透明液晶パネルを開放するように制御することができる。この場合、前記カメラに照射される光源の量が相対的にさらに多くなるため、前記フォト生成装置の写真撮影の際にさらに多い量の光源が流入できる。また、前記測定された照度が所定の基準よりも高い高照度（ｈｉｇｈ  ｉｌｌｕｍｉｎａｎｃｅ）である場合、前記透明液晶パネルは、前記透明液晶パネルを閉鎖するように制御することができ、この場合、前記カメラに照射される光源の量が相対的にさらに少なくなるため、前記フォト生成装置の写真撮影の際に少ない量の光源のみが流入できる。
【００８３】
したがって、図４に示すように、本発明の一実施形態に係るフォト生成装置は、照度センサーによって測定された照度に基づいて、前記照明部による照明の明るさおよび／または前記透明液晶パネルによるカメラ部に照射される光源の透過率を制御することができ、これにより、前記フォト生成装置のカメラは、前記照明部及び前記透明液晶パネルの制御結果が反映されたユーザーの画像を撮影して前記ユーザーに対する撮影写真を生成することができる。
【００８４】
再び図３を参照すると、前記照明部及び前記透明液晶パネルの制御結果を反映して前記ユーザーに対する撮影写真を生成した前記フォト生成装置は、前記ユーザーに対する撮影写真を、そのまま出力するか、或いはユーザーが既に選択したフォトオブジェクトと合成して出力することができるが、これとは異なり、前記ユーザーに対する撮影写真に対して、前記フォト生成装置に既に設置されたソフトウェア（ｓｏｆｔｗａｒｅ）のプロセスに従って追加補正を行うことができる。
【００８５】
以下、前記ソフトウェア（ｓｏｆｔｗａｒｅ）によるプロセスに従って行われる追加補正について、図５乃至図１０を参照して詳細に説明する。
【００８６】
図５は本発明の一実施形態によってフォト生成装置が光源の明るさを推定する過程を説明するための例示図であり、図６は本発明の一実施形態によってフォト生成装置が光源の明るさを補正する過程を説明するための例示図である。
【００８７】
まず、図５を参照すると、フォト生成装置は、前記ユーザーに対する撮影写真に対してソフトウェア（ｓｏｆｔｗａｒｅ）的な追加補正を行うために、前記ユーザーに対する撮影写真の明るさ成分を抽出することができ、このために、ＹＣｂＣｒ色空間変換を用いた明るさ映像を得ることができる。
【００８８】
このとき、前記明るさ成分を得るための色空間は、ＨＳＶ（Ｈｕｅ、Ｓａｔｕｒａｔｉｏｎ  Ｖａｌｕｅ）、ＨＩＳ（Ｈｕｅ、Ｉｎｔｅｎｓｉｔｙ、Ｓａｔｕｒａｔｉｏｎ）、ＣＩＥＬＡＢ変換などの使用が可能であり、図５に示すように、ガウスカーネル（Ｇａｕｓｓｉａｎ  Ｋｅｒｎｅｌ）を用いた光源の明るさ成分推定も可能である。
【００８９】
このため、フォト生成装置は、互いに異なるように設定されたガウス関数の標準偏差σを用いて、図５に示すように３つのガウスカーネルＧ１、Ｇ２、Ｇ３を生成することができ、前記生成された３つのガウスカーネルを写真の明るさ成分に適用することができる。その後、前記フォト生成装置は、数式１に示すように、前記カーネルが適用された写真に対して加重（ｗ）和を計算した後、当該写真から光源の明るさ成分Ｓ‘を推定することができる。
【００９０】
図６を参照すると、フォト生成装置は、前記ユーザーに対する撮影写真に対して、ソフトウェア（ｓｏｆｔｗａｒｅ）によるプロセスに従って追加補正を行うために、先立って図５の内容に基づいて抽出した写真光源の明るさをさらに明るく或いはさらに暗く補正することができる。
【００９１】
すなわち、フォト生成装置は、前記ユーザーに対する撮影写真内の光源の明るさを補償することができ、より具体的に、前記フォト生成装置は、下記の数式２に記載されているように、先立って数式１に基づいて推定された光源Ｓ‘でＲＧＢ映像の各チャネルＩを割る（ｄｉｖｉｄｅ）ことにより、光源の明るさを補償することができる。
【００９２】
一方、先立って説明したように、本発明のフォト生成装置は、前記ユーザーに対する撮影写真とフォトオブジェクトとの合成ないし融合を行うことができる。すなわち、ユーザーに対する撮影写真とフォトオブジェクトとを合成したイメージを生成することができるのである。このとき、カラー及びコントラストの向上を含めて前記フォトオブジェクトと前記ユーザーに対する撮影写真とを合成ないし融合することもできる。
【００９３】
また、前記フォト生成装置は、光源補正された前記ユーザーに対する撮影写真と前記フォトオブジェクトとを合成するために、これらのそれぞれの色とコントラストを調節して、これらを互いに類似するように変換した後、合成を行うことができる。
【００９４】
本発明のフォト生成装置は、前記ユーザーに対する撮影写真と前記フォトオブジェクトのコントラストを分析するために、まず各チャネル間のヒストグラム範囲を計算して最小値、最大値を推定し、二つのオブジェクト間のそれらを一致させるヒストグラムマッチングを行うことができる。また、前記フォト生成装置は、前記ユーザーに対する撮影写真にさらにフィルターとカラーを調節して前記フォトオブジェクトと合成することもできる。
【００９５】
図７は本発明の一実施形態によってフォト生成装置がユーザーに対する撮影写真とフォトオブジェクトとを合成する過程を説明するための例示図である。
【００９６】
図７を参照すると、先立って述べたように、本発明の一実施形態に係る前記フォト生成装置は、ユーザーに対する撮影写真とフォトオブジェクトとを合成したイメージを生成することができる。このため、前記フォト生成装置は、先立って図１乃至図４で説明した方法に従って、照度を用いて照明の明るさ及びカメラに流入する光源の量を調節するか、或いは、図５乃至図６で説明した方法に従って、前記ユーザーに対する撮影写真に対して光源を推定し、補正を行うこともでき、このような過程をそれぞれ或いは全て経た前記ユーザーに対する撮影写真を映像融合技術によって前記フォトオブジェクトと合成することができる。このとき、前記映像融合技術は、現在までにリリースされた映像を結合または合成する技術と、今後新たにリリースされる全ての映像を結合または合成する全ての技術をいずれも含む概念で解釈できる。
【００９７】
また、前記映像融合は、カラー及びコントラストの向上を用いた映像融合と、皮膚色及びグレー階調の補正を用いた映像融合を含むことができる。前記フォト生成装置は、前記映像融合によって生成された合成イメージを、写真出力が可能なプリンターへ伝送して出力することもでき、これとは異なり、前記フォト生成装置内の画面を介して表示することもできる。
【００９８】
図８は本発明の一実施形態によってフォト生成装置がカラーとコントラストを向上させてイメージを合成する過程を説明するための例示図である。
【００９９】
図８を参照すると、前記フォト生成装置は、前述したように、前記合成を行う対象であるフォトオブジェクトと前記ユーザーに対する撮影写真とを用いてヒストグラムマッチングを行うことができる。
【０１００】
このとき、前記ヒストグラムマッチングとは、フォト合成装置が前記ユーザーに対する撮影写真と前記フォトオブジェクトそれぞれで各チャネル別の最小値、最大値を推定し、これらの中でも最も小さい最小値または最も大きい最大値を基準にヒストグラムストレッチング技法を利用してチャネル間の値の範囲を一致させることを意味する。
【０１０１】
前述したようなヒストグラムマッチングを行った後、前記フォト合成装置は、フィルタリングおよび／またはカラー補正を行うこともできる。また、前記フィルタリングおよび／またはカラー補正は、前記フォト合成装置が前記ユーザーに対する撮影写真と前記フォトオブジェクトとを合成する前に、前記ユーザーに対する撮影写真に追加のフィルタリングとカラー補正処理を行うことを意味する。
【０１０２】
また、フィルタリングおよびカラー補正は、前記ユーザーに対する撮影写真全体または部分に対して行うことができ、このとき、全体は前記ユーザーに対する撮影写真全体イメージを意味し、部分は前記ユーザーに対する撮影写真のうち、顔検出を用いた皮膚色補正のようにイメージの特定の部分のみを適用することを意味する。
【０１０３】
一方、前記フィルタリングは、バイラテラルフィルター（ｂｉｌａｔｅｒａｌ  ｆｉｌｔｅｒ）を用いて前記ユーザーに対する撮影写真のエッジ（ｅｄｇｅ）部分は保存されながら、平坦な領域に存在するノイズを低減し、色の境界とにじみ現象などを減らす役目をすることを意味する。前記カラー補正は、映像のＣＩＥＬＡＢ及びＨＳＶなどの色度と明るさ成分を分離することが可能な色空間変換を利用して、彩度（ｓａｔｕｒａｔｉｏｎ）成分のみを抽出し、これを増加させることにより補正を行うこともできる。
【０１０４】
図９は本発明の一実施形態によってフォト生成装置が選好皮膚色の再現を行う過程を示すフローチャートである。
【０１０５】
図９を参照すると、本発明のフォト生成装置は、光源補正された前記ユーザーに対する撮影写真と前記フォトオブジェクトとを合成する過程で、前記ユーザーに対する撮影写真の皮膚色と前記フォトオブジェクトの皮膚色間の異質感を低減させた後、合成を行うことができる。
【０１０６】
このため、前記フォト生成装置は、図９に示すように、まず、選好皮膚色を分析して決定することができ、前記ユーザーに対する撮影写真中のオブジェクトに対する皮膚色を検出することができる。
【０１０７】
その後、前記フォト生成装置は、前記決定された選好皮膚色を、前記ユーザーに対する撮影写真から検出された前記オブジェクトの皮膚色領域に適用して、前記決定された選好皮膚色に再現することができる。
【０１０８】
このとき、前記選好皮膚色に対する分析及び決定は、選好皮膚色実験によって色度座標系を用いて定義することができ、前記ユーザーに対する撮影写真中のオブジェクトに対する皮膚色は、色空間を用いて検出することができる。すなわち、皮膚色は、様々な色空間で一定の範囲内に存在することができ、例えば、ＲＧＢ色空間では、Ｒチャネルの値がＧチャネルやＢチャネルの値よりも少ない分布を有し、ＧチャネルやＢチャネルよりもＲチャネルでの値がより高い相関度を持つ。よって、このような色空間での特性を考慮して、前記ユーザーに対する撮影写真中のオブジェクトに対して皮膚色の検出を行うことができる。
【０１０９】
前記フォト生成装置は、上述のような方法によって決定された選好皮膚色と前記ユーザーに対する撮影写真から検出された前記オブジェクトの皮膚色との差を比率的に計算して、前記ユーザーに対する撮影写真から検出された前記オブジェクトの皮膚色を前記決定された選好皮膚色に再現することができる。
【０１１０】
図１０は本発明の一実施形態によってフォト生成装置が選好皮膚色の再現を行った結果を説明するための入力映像及び皮膚色補正映像を示す図である。
【０１１１】
図１０を参照すると、フォト生成装置を介して先立って図９で説明した方法に従って、選好皮膚色の再現を行おうとする入力映像（または前記ユーザーに対する撮影写真、図１０（ａ））と、前記選好皮膚色の再現を行った皮膚色補正映像（図１０（ｂ））がそれぞれ示されている。
【０１１２】
映像の画質評価に最も影響を及ぼすものが人間の記憶色であり、前記記憶色は、ユーザーの選好度と画質を改善するために重要な役目をする。したがって、本発明の一実施形態によれば、図１０に示すように、入力映像（または前記ユーザーに対する撮影写真、図１０（ａ））の皮膚色をユーザーの好む皮膚色（または記憶色、図１０（ｂ））に再現することができ、これにより、ユーザーは自分の好む写真を取得することができるという効果が提供できる。
【０１１３】
本発明に適用できるフォト生成装置で行われる全ての機能は、スマートフォンのアプリケーションの形であるアプリでも実現でき、前記アプリケーションは、カメラ映像とフォトオブジェクトとを、先立って図１乃至図９で説明した方法に従って合成して、合成イメージを生成する機能、及び前記合成されたイメージを他の媒体に印刷する機能を含むことができ、このとき、前記他の媒体は、紙、イメージメモリのように合成イメージがイメージの形で出力される様々なデジタル媒体であり得る。
【０１１４】
本発明の実施形態に関連した技術分野における通常の知識を有する者は、前記記載の本質的な特性から外れない範疇において変形した形態で実現できることを理解することができるだろう。従って、開示された方法は、限定的な観点ではなく、説明的な観点から考慮されるべきである。本発明の範囲は発明の詳細な説明ではなく、請求の範囲に示され、それと同等の範囲内にあるすべての差異点は本発明の範囲に含まれるものと解釈されるべきである。
【産業上の利用可能性】
【０１１５】
本発明の光源制御と写真補正を行うフォト生成装置は、光源制御と写真補正を行う様々な装置に適用することが可能である。
【図１】
2018528482.tif 000003
【図２】
2018528482.tif 000004
【図３】
2018528482.tif 000005
【図４】
2018528482.tif 000006
【図５】
2018528482.tif 000007
【図６】
2018528482.tif 000008
【図７】
2018528482.tif 000009
【図８】
2018528482.tif 000010
【図９】
2018528482.tif 000011
【図１０（ａ）】
2018528482.tif 000012
【図１０（ｂ）】
2018528482.tif 000013
【手続補正書】
【提出日】平成29年12月8日(2017.12.8)
【手続補正１】
【補正対象書類名】特許請求の範囲
【補正対象項目名】請求項１
【補正方法】変更
【補正の内容】
【請求項１】
照度センサーと透明液晶を用いて光源制御及び写真補正を行うフォト生成装置において、
前記フォト生成装置を用いるユーザーに対する撮影を行うためのカメラ部と、
前記フォト生成装置を用いて写真撮影を行うオブジェクトに対して照明を提供するための照明部と、
前記照明部の照明制御に用いるために前記フォト生成装置の所定の範囲内の照度を測定する照度センサー部と、
前記カメラ部の前面に装着され、前記撮影の際に前記カメラ部に照射される光源の量に対する制御を行う透明液晶パネルとを含んでなり、
前記照明部および前記透明液晶パネルは、前記照度センサーによって測定された照度に基づいて前記照明の明るさ及び前記透明液晶パネルの開閉をそれぞれ制御することを特徴とする、フォト生成装置。
【手続補正２】
【補正対象書類名】特許請求の範囲
【補正対象項目名】請求項８
【補正方法】変更
【補正の内容】
【請求項８】
合成したイメージを生成する場合には、
前記フォト生成装置は、既にインストールされたプログラムを利用して、前記ユーザーに対する撮影写真とフォトオブジェクトに対してチャネル別の映像補正を行った後、合成イメージを生成することを特徴とする、請求項６に記載のフォト生成装置。
【手続補正３】
【補正対象書類名】特許請求の範囲
【補正対象項目名】請求項１１
【補正方法】変更
【補正の内容】
【請求項１１】
前記カラー補正は、
前記ユーザーに対する撮影写真および前記フォトオブジェクトに対して、明るさと色度が分離された色空間変換を用いて飽和成分を抽出し、抽出された前記飽和成分を増加させることにより行われることを特徴とする、請求項１０に記載のフォト生成装置。
【手続補正４】
【補正対象書類名】特許請求の範囲
【補正対象項目名】請求項１５
【補正方法】変更
【補正の内容】
【請求項１５】
前記チャネル別の映像補正は、
前記ユーザーに対する撮影写真と前記フォトオブジェクトそれぞれに対して色空間変換を用いて明るさ成分と色度成分を分離し、分離された前記明るさ成分のカラーとコントラストを向上させることを含んでなる、請求項８に記載のフォト生成装置。
【手続補正５】
【補正対象書類名】特許請求の範囲
【補正対象項目名】請求項１６
【補正方法】変更
【補正の内容】
【請求項１６】
前記チャネル別の映像補正は、
前記分離された明るさ成分に対するヒストグラム比較を行って階調の増加及びグレー階調の各段階別の分布を分析し、
分析結果に基づいて前記ユーザーに対する撮影写真と前記フォトオブジェクトそれぞれに対する彩度補正及び皮膚色領域に対する補正を行うことをさらに含む、請求項１５に記載のフォト生成装置。
【手続補正６】
【補正対象書類名】明細書
【補正対象項目名】０００４
【補正方法】変更
【補正の内容】
【０００４】
前記無人チケット発券機は、映画館、スポーツ競技場、公演場、展示会、博物館、観光地などで人に代わってチケットを発券する機器をいう。前記無人チケット発券機によって発券されるチケットは、日付、映画名、試合名、公演名、展示名、観覧場所、観覧位置などの観覧情報を示し、一般的な無人チケット発券機は、ＰＣ、モニター、レシートプリンター、カードリーダー、紙幣リーダー、および手数料精算部から構成できる。
【手続補正７】
【補正対象書類名】明細書
【補正対象項目名】００１３
【補正方法】変更
【補正の内容】
【００１３】
本発明の別の目的は、映像補正された一つ以上のイメージを合成して生成された写真を紙またはメディア媒体に印刷するフォト生成装置を提供することにある。
【手続補正８】
【補正対象書類名】明細書
【補正対象項目名】００１５
【補正方法】変更
【補正の内容】
【００１５】
上述した問題点を解決するための本発明の光源制御と写真補正を行うフォト生成装置は、前記フォト生成装置を用いるユーザーに対する撮影を行うためのカメラ部と、前記フォト生成装置を用いて写真撮影を行うオブジェクトに対して照明を提供するための照明部と、前記照明部の照明制御に用いるために前記フォト生成装置の所定の範囲内の照度を測定する照度センサー部と、前記カメラ部の前面に装着され、前記撮影の際に前記カメラ部に照射される光源の量の制御を行う透明液晶パネルとを含んでなり、前記照明部および前記透明液晶パネルは、前記照度センサーによって測定された照度に基づいて前記照明の明るさ及び前記透明液晶パネルの開閉をそれぞれ制御することができる。
【手続補正９】
【補正対象書類名】明細書
【補正対象項目名】００３３
【補正方法】変更
【補正の内容】
【００３３】
前述したような本発明によれば、次の効果を得ることができる。ただし、本発明によって得られる効果は、これに限定されない。
第一に、本発明によれば、照度センサーと透明液晶を用いて光源制御を行うフォト生成装置が提供できる。
第二に、本発明によれば、照度センサーを用いて測定した照度に基づいてフォト生成装置の照明の明るさ調節を行う効果が提供できる。
第三に、本発明によれば、照度センサーを用いて測定した照度に基づいて、カメラ前面の透明液晶の開閉を制御して、カメラに入力される光源の量を調節することができる効果が提供できる。
第四に、本発明によれば、映像補正された一つ以上のイメージを合成して生成された写真を紙またはメディア媒体に印刷するフォト生成装置が提供できる。
【手続補正１０】
【補正対象書類名】明細書
【補正対象項目名】００４３
【補正方法】変更
【補正の内容】
【００４３】
図１は本発明が適用できるフォト生成装置の構成を例示した図である。
【手続補正１１】
【補正対象書類名】明細書
【補正対象項目名】００４４
【補正方法】変更
【補正の内容】
【００４４】
図１を参照すると、本発明が適用できるフォト生成装置は、撮影部（カメラ部）１１１、選択部１１２、照度センサー部１１３、照明部１１４及び透明液晶パネル１１５を含んでなるイメージ部１１０と、光源補正部１２０と、融合部１３０と、フィルター処理部１４０と、出力部１５０と、通信部１６０とを含んで構成できる。
【手続補正１２】
【補正対象書類名】明細書
【補正対象項目名】００４６
【補正方法】変更
【補正の内容】
【００４６】
再び図１を参照すると、前記イメージ部１１０は、写真撮影を行おうとするユーザーの画像とフォトオブジェクトを用意する。すなわち、前記イメージ部１１０に含まれている撮影部１１１は、写真撮影を行おうとするユーザーの画像を前記フォト生成装置の画面に表示し或いは前記ユーザーを撮影し、前記イメージ部１１０に含まれている前記選択部１１２は、前記ユーザーの入力に基づいて、或いは所定の設定によって前記フォト生成装置の画面に前記ユーザーの画像と一緒に配置されるフォトオブジェクトを選択することができる。
【手続補正１３】
【補正対象書類名】明細書
【補正対象項目名】００４９
【補正方法】変更
【補正の内容】
【００４９】
本発明のフォト生成装置の光源補正部１２０は、前記撮影部１１１のカメラで取得されたユーザーの画像から光源を推定し、これをさらに補正することができる。すなわち、本発明において、前記フォト生成装置は、前述したように、照度センサー部１１３によって測定された照度に基づいて、照明の明るさ及び透明液晶パネル１１５の開閉を制御して、カメラに照射される光源の量をハードウェア的に調節／制御しているが、これと共に前記光源補正部１２０を介してソフトウェア的にも調節／制御を行うことができる。
【手続補正１４】
【補正対象書類名】明細書
【補正対象項目名】００５０
【補正方法】変更
【補正の内容】
【００５０】
また、前記フォト生成装置の融合部１３０は、前記ユーザーの画像と前記フォトオブジェクトを合成することができ、前記フィルター処理部１４０は、前記ユーザーの入力に応じて、あるいは前記フォト生成装置に既に入力されたコマンドに応じて、前記合成されたオブジェクトに追加のフィルター処理を行うことができる。
【手続補正１５】
【補正対象書類名】明細書
【補正対象項目名】００６３
【補正方法】変更
【補正の内容】
【００６３】
一方、図２には示されていないが、前記フォト生成装置は、後述のように測定された照度に基づいて照明の明るさ制御及び透明液晶パネル１１５の開閉制御を行い、前記フォト生成装置によって生成される写真に適用される光源の量を調節することができる。また、これと一緒に或いはこれとは別に、前記写真撮影の後、前記フォト生成装置は、前記撮影部１１１内のカメラから取得された前記写真から光源（例えば、光源の明るさなど）を推定し、これに基づいて前記写真の光源などをソフトウェア的にも補正することができる。
【手続補正１６】
【補正対象書類名】明細書
【補正対象項目名】００６５
【補正方法】変更
【補正の内容】
【００６５】
したがって、前記フォト生成装置は、周辺光源の影響を軽減するために、前述したように、照度センサー部１１３により測定された照度に基づいて照明の明るさ及び透明液晶パネル１１５の開閉を制御して、カメラに照射される光源の量をハードウェア的に調節／制御することができ、これと一緒に或いはこれとは別に、撮影の完了した画像に対して光源の明るさを推定し、これに基づいて写真を補正するソフトウェア的な調節／制御も可能である。
【手続補正１７】
【補正対象書類名】明細書
【補正対象項目名】００６７
【補正方法】変更
【補正の内容】
【００６７】
このために、まず、前記フォト生成装置は、ＲＧＢ映像をＹＣｂＣｒ空間（Ｃｏｌｏｒ  Ｓｐａｃｅ）に変換し、そのうち、明るさチャネルに様々なサイズのガウスカーネルを適用して光源の明るさ成分を計算することができる。また、前記明るさを補償するために、前記フォト生成装置は、計算された光源の明るさを写真または映像の明るさチャネルで割って前記写真または映像内の光源の明るさを補償することができ、このとき、前記レティネックスアルゴリズムを繰り返し適用する多重レティネックスを行うこともできる。
【手続補正１８】
【補正対象書類名】明細書
【補正対象項目名】００７３
【補正方法】変更
【補正の内容】
【００７３】
まず、図３を参照すると、本発明の一実施形態によってフォト生成装置が照度センサーと透明液晶を用いて光源制御を行うために、前記フォト生成装置内の照度センサー部１１３は、前記フォト生成装置の所定の範囲内の照度を測定することができる。
【手続補正１９】
【補正対象書類名】明細書
【補正対象項目名】００７４
【補正方法】変更
【補正の内容】
【００７４】
すなわち、フォト生成装置の前面部には写真撮影のための所定の空間が備えられていてもよく、前記所定の空間は前記写真生成装置の撮影が可能な範囲の大きさを有することができる。ユーザーは前記写真撮影のための所定の空間で写真撮影を行うことができるので、前記写真生成装置の照度センサー部１１３は前記所定の空間範囲の照度を測定することができる。
【手続補正２０】
【補正対象書類名】明細書
【補正対象項目名】００７６
【補正方法】変更
【補正の内容】
【００７６】
一方、前記フォト生成装置（または別途の制御部が備えられ、以下の制御を行うこともできる。）は、前記照度センサー部１１３によって測定された照度に基づいて、前記フォト生成装置の写真撮影の際に用いられる照明の明るさを制御することができる。
【手続補正２１】
【補正対象書類名】明細書
【補正対象項目名】００７７
【補正方法】変更
【補正の内容】
【００７７】
より具体的に、本発明において、前記照明部１１４によって提供される照明の明るさ段階は、ロー（Ｌｏｗ）、ノーマル（Ｎｏｒｍａｌ）またはハイ（Ｈｉｇｈ）のいずれか一つに区分される。ただし、これは、あくまでも例示に過ぎず、これに限定されるものではなく、さらに細分化されて区分されてもよく、簡明に区分されてもよい。
【手続補正２２】
【補正対象書類名】明細書
【補正対象項目名】００７８
【補正方法】変更
【補正の内容】
【００７８】
前記フォト生成装置内の照明部１１４は、前記照明の明るさ段階のうち、前記照度センサー部１１３によって測定された照度に対応する明るさ段階に設定して、前記照明の明るさを制御することができる。
【手続補正２３】
【補正対象書類名】明細書
【補正対象項目名】００７９
【補正方法】変更
【補正の内容】
【００７９】
例えば、前記照度センサー部１１３によって測定された照度が、予め定められた所定の基準よりも低い低照度（ｌｏｗ  ｉｌｌｕｍｉｎａｎｃｅ）である場合、前記照明部１１４は、前記照明の明るさをハイ（Ｈｉｇｈ）に設定されるように制御することができ、この場合、前記照明の明るさがさらに強くなるため、前記フォト生成装置の写真撮影の際にさらに多い量の光源が流入できる。また、前記測定された照度が所定の基準よりも高い高照度（ｈｉｇｈ  ｉｌｌｕｍｉｎａｎｃｅ）である場合、前記照明部１１４は、前記照明の明るさをロー（Ｌｏｗ）に設定されるように制御することができ、この場合、前記照明の明るさが相対的に弱くなるため、前記フォト生成装置の写真撮影の際に少ない量の光源のみが流入できる。
【手続補正２４】
【補正対象書類名】明細書
【補正対象項目名】００８０
【補正方法】変更
【補正の内容】
【００８０】
一方、本発明の前記フォト生成装置（または別途の制御部が備えられ、以下の制御を行うこともできる。）は、前記照度センサー部１１３によって測定された照度に基づいて、前記撮影部１１１の前面に装着されて写真撮影の際に前記撮影部１１１に照射される光源の量に対する制御を行う透明液晶パネル１１５の開閉を制御することができる。
【手続補正２５】
【補正対象書類名】明細書
【補正対象項目名】００８１
【補正方法】変更
【補正の内容】
【００８１】
より具体的に、前記透明液晶パネル１１５は前記フォト生成装置の撮影部１１１の前面に取り付けられていてもよく、前記透明液晶パネル１１５は開閉が可能である。また、前記透明液晶パネル１１５の開閉に応じて、前記撮影部１１１に照射される光源の透過率を、まるで窓に取り付けられて室内への太陽光の流入量を制御するブラインドのように制御することができる。本発明では、前記照度センサー部１１３によって測定された照度に基づいて前記透明液晶パネル１１５の開閉を制御するが、終局的には、これを用いて、前記撮影部１１１に照射される光源の透過率を制御することができ、結果として、前記フォト生成装置によって撮影される写真に対する光源の量を調節することができる。
【手続補正２６】
【補正対象書類名】明細書
【補正対象項目名】００８２
【補正方法】変更
【補正の内容】
【００８２】
例えば、前記照度センサー部１１３によって測定された照度が、予め定められた所定の基準よりも低い低照度（Ｌｏｗ  ｉｌｌｕｍｉｎａｎｃｅ）である場合、前記透明液晶パネル１１５は、前記透明液晶パネル１１５を開放するように制御することができる。この場合、前記カメラに照射される光源の量が相対的にさらに多くなるため、前記フォト生成装置の写真撮影の際にさらに多い量の光源が流入できる。また、前記測定された照度が所定の基準よりも高い高照度（ｈｉｇｈ  ｉｌｌｕｍｉｎａｎｃｅ）である場合、前記透明液晶パネル１１５は、前記透明液晶パネル１１５を閉鎖するように制御することができ、この場合、前記カメラに照射される光源の量が相対的にさらに少なくなるため、前記フォト生成装置の写真撮影の際に少ない量の光源のみが流入できる。
【手続補正２７】
【補正対象書類名】明細書
【補正対象項目名】００８３
【補正方法】変更
【補正の内容】
【００８３】
したがって、図４に示すように、本発明の一実施形態に係るフォト生成装置は、照度センサー部１１３によって測定された照度に基づいて、前記照明部１１４による照明の明るさおよび／または前記透明液晶パネル１１５による撮影部１１１に照射される光源の透過率を制御することができ、これにより、前記フォト生成装置のカメラは、前記照明部１１４及び前記透明液晶パネル１１５の制御結果が反映されたユーザーの画像を撮影して前記ユーザーに対する撮影写真を生成することができる。
【手続補正２８】
【補正対象書類名】明細書
【補正対象項目名】００８４
【補正方法】変更
【補正の内容】
【００８４】
再び図３を参照すると、前記照明部１１４及び前記透明液晶パネル１１５の制御結果を反映して前記ユーザーに対する撮影写真を生成した前記フォト生成装置は、前記ユーザーに対する撮影写真を、そのまま出力するか、或いはユーザーが既に選択したフォトオブジェクトと合成して出力することができるが、これとは異なり、前記ユーザーに対する撮影写真に対して、前記フォト生成装置に既に設置されたソフトウェア（ｓｏｆｔｗａｒｅ）のプロセスに従って追加補正を行うことができる。
【手続補正２９】
【補正対象書類名】明細書
【補正対象項目名】００８９
【補正方法】変更
【補正の内容】
【００８９】
このため、フォト生成装置は、互いに異なるように設定されたガウス関数の標準偏差σを用いて、図５に示すように３つのガウスカーネルＧ１、Ｇ２、Ｇ３を生成することができ、前記生成された３つのガウスカーネルを写真の明るさ成分に適用することができる。その後、前記フォト生成装置は、数式１に示すように、前記カーネルが適用された写真に対して加重（ｗ）和を計算した後、当該写真から光源の明るさ成分Ｓ‘を推定することができる。
【数１】
2018528482.tif 000014
【手続補正３０】
【補正対象書類名】明細書
【補正対象項目名】００９１
【補正方法】変更
【補正の内容】
【００９１】
すなわち、フォト生成装置は、前記ユーザーに対する撮影写真内の光源の明るさを補償することができ、より具体的に、前記フォト生成装置は、下記の数式２に記載されているように、先立って数式１に基づいて推定された光源Ｓ‘でＲＧＢ映像の各チャネルＩを割る（ｄｉｖｉｄｅ）ことにより、光源の明るさを補償することができる。
【数２】
2018528482.tif 000015
【手続補正３１】
【補正対象書類名】明細書
【補正対象項目名】０１００
【補正方法】変更
【補正の内容】
【０１００】
このとき、前記ヒストグラムマッチングとは、フォト生成装置が前記ユーザーに対する撮影写真と前記フォトオブジェクトそれぞれで各チャネル別の最小値、最大値を推定し、これらの中でも最も小さい最小値または最も大きい最大値を基準にヒストグラムストレッチング技法を利用してチャネル間の値の範囲を一致させることを意味する。
【手続補正３２】
【補正対象書類名】明細書
【補正対象項目名】０１０１
【補正方法】変更
【補正の内容】
【０１０１】
前述したようなヒストグラムマッチングを行った後、前記フォト生成装置は、フィルタリングおよび／またはカラー補正を行うこともできる。また、前記フィルタリングおよび／またはカラー補正は、前記フォト生成装置が前記ユーザーに対する撮影写真と前記フォトオブジェクトとを合成する前に、前記ユーザーに対する撮影写真に追加のフィルタリングとカラー補正処理を行うことを意味する。
【国際調査報告】
2018528482.tif 000016
2018528482.tif 000017
2018528482.tif 000018
2018528482.tif 000019